(57)【要約】【課題】好適な操作性を確保可能にしたタッチパッド装置及びディスプレイ表示制御プログラムを提供する。【解決手段】タッチパッドのなぞり操作によって画面１１の選択表示を選択ボタン１５Ａから選択ボタン１５Ｂに切り替えるとき、なぞり操作時の操作速度及び操作方向を検出する。なぞり操作時、画面１１上で次に選択すべき選択ボタン１５が探索範囲Ｒ内に存在するか否かを確認する範囲判定を実行するにあたり、探索範囲Ｒの範囲を、なぞり操作の操作速度及び操作方向に応じた範囲に設定する。そして、探索範囲Ｒ内に選択ボタン１５が存在すれば、その選択ボタン１５に選択マーク１６の表示を切り替える。【選択図】図７
2019152987.tif 000002
【特許請求の範囲】
【請求項１】
ディスプレイの画面を遠隔操作する際に用いるタッチパッドと、
当該タッチパッドの操作態様を検出する操作態様検出部と、
タッチパッド操作時、画面上において選択下にある選択物を示す選択表示を別の選択物に切り替えるか否かの判断基準となる座標上の探索範囲を、前記操作態様検出部の検出結果に基づく範囲に設定する範囲設定部と、
タッチパッド操作時、前記探索範囲に画面上の選択物が存在するか否かの範囲判定の結果を基に、別の選択物へ選択表示の切り替えを実行する表示切替部と
を備えたタッチパッド装置。
【請求項２】
前記操作態様検出部は、前記タッチパッドの操作速度及び操作方向を検出し、
前記範囲設定部は、前記操作方向に沿うベクトルを中心とするとともに前記操作速度に応じた範囲の前記探索範囲を設定する
請求項１に記載のタッチパッド装置。
【請求項３】
前記表示切替部は、前記選択表示と、現在選択下にある画面上の選択座標をポインタによって示すポインタ表示とを選択的に使用して、前記画面の操作状態をユーザに通知する
請求項１又は２に記載のタッチパッド装置。
【請求項４】
前記表示切替部は、画面に表示された隣同士の前記選択物の境界を選択座標が超えたか否かの越境判定も加えて、当該画面の表示切り替えを実行する
請求項１〜３のうちいずれか一項に記載のタッチパッド装置。
【請求項５】
前記表示切替部は、選択表示時、前記越境判定において画面上の選択座標が前記境界を越えたと判定された場合に、前記範囲判定では前記探索範囲に目標となる選択物がないと判定されると、画面表示を選択表示からポインタ表示に切り替える
請求項４に記載のタッチパッド装置。
【請求項６】
前記表示切替部は、ポインタ表示時、前記越境判定において画面上の選択座標が前記境界を越えたと判定された場合、その移動先に選択物が存在し、かつ当該選択物が探索範囲内に位置していれば、表示中のポインタを消し、前記探索範囲内に存在する前記選択物を選択表示する
請求項４又は５に記載のタッチパッド装置。
【請求項７】
ディスプレイの画面を遠隔操作する際に用いるタッチパッドと、
タッチパッド操作時、画面上において選択下にある選択物を示す選択表示を別の選択物に切り替えるか否かの判断基準となる座標上の探索範囲を設定する範囲設定部と、
タッチパッド操作時、前記探索範囲に画面上の選択物が存在するか否かの範囲判定において、範囲内に選択物が存在しないと判定された場合、前記選択表示から、現在選択下にある画面上の選択座標をポインタによって示すポインタ表示に切り替える表示切替部と
を備えたタッチパッド装置。
【請求項８】
ディスプレイとは別に設けられたタッチパッドの検出信号を基に、前記ディスプレイの画面を遠隔操作するタッチパッド装置に用いられるディスプレイ表示制御プログラムであって、
当該タッチパッドの操作態様を検出するステップと、
タッチパッド操作時、画面上において選択下にある選択物を示す選択表示を別の選択物に切り替えるか否かの判断基準となる座標上の探索範囲を、操作態様の検出結果に基づく範囲に設定するステップと、
タッチパッド操作時、前記探索範囲に画面上の選択物が存在するか否かの範囲判定の結果を基に、別の選択物へ選択表示の切り替えを実行するステップと
をコンピュータに実行させるディスプレイ表示制御プログラム。
【請求項９】
ディスプレイとは別に設けられたタッチパッドの検出信号を基に、前記ディスプレイの画面を遠隔操作するタッチパッド装置に用いられるディスプレイ表示制御プログラムであって、
タッチパッド操作時、画面上において選択下にある選択物を示す選択表示を別の選択物に切り替えるか否かの判断基準となる座標上の探索範囲を設定するステップと、
タッチパッド操作時、前記探索範囲に画面上の選択物が存在するか否かの範囲判定において、範囲内に選択物が存在しないと判定された場合、前記選択表示から、現在選択下にある画面上の選択座標をポインタによって示すポインタ表示に切り替えるステップと
をコンピュータに実行させるディスプレイ表示制御プログラム。
【発明の詳細な説明】
【技術分野】
【０００１】
本発明は、タッチパッドの遠隔操作によってディスプレイを制御するタッチパッド装置及びディスプレイ表示制御プログラムに関する。
【背景技術】
【０００２】
従来、ディスプレイとは別に配置されたタッチパッドによってディスプレイ上の画面を遠隔操作するタッチパッド装置が周知である。この種のタッチパッド装置では、画面上に表示された複数の選択物の中から特定のものを選ぶ場合、タッチパッドをなぞり操作するなどして、選択中であることを示す選択マーク（例えば、カーソル等）を所定の選択物に合わせ、選択後、タッチパッドで決定操作することにより、選択意志のある選択物を選択決定する。選択マークの表示は、ユーザのタッチ操作を基に画面上の表示状態が制御される（特許文献１等参照）。
【先行技術文献】
【特許文献】
【０００３】
【特許文献１】特開２００５−１６５４４９号公報
【発明の概要】
【発明が解決しようとする課題】
【０００４】
ところで、例えばカーナビゲーションシステム等で目的地を文字で直接入力して設定する場合、画面上に表示された「５０音入力のボタン一覧」から一文字ずつ文字を選択して入力していくことで、所望の目的地が入力される態様がとられている。この場合、画面上に表示された各選択ボタンのうち選択決定できるものに選択マークが合わせられ、タッチパッドをなぞり操作して選択マークを移動させてタッチパッドで選択決定する操作を、一文字ずつ繰り返していくことにより、目的地が入力される。
【０００５】
ここで、一般的なカーナビゲーションシステムでは、文字を一文字ずつ入力していく過程で目的地の候補が予想され、その候補に応じた選択ボタンのみが選択表示される。このとき、５０音入力のボタン一覧は、選択ボタンが間引きされた表示となる。すなわち、選択ボタンが均等に画面上に配列されない状態となる。よって、タッチパッドのなぞり操作で選択ボタンを選択する際、ユーザが意図しないボタンに選択マークが移動してしまう可能性があり、操作性に問題があった。
【０００６】
本発明の目的は、好適な操作性を確保可能にしたタッチパッド装置及びディスプレイ表示制御プログラムを提供することにある。
【課題を解決するための手段】
【０００７】
前記問題点を解決するタッチパッド装置は、ディスプレイの画面を遠隔操作する際に用いるタッチパッドと、当該タッチパッドの操作態様を検出する操作態様検出部と、タッチパッド操作時、画面上において選択下にある選択物を示す選択表示を別の選択物に切り替えるか否かの判断基準となる座標上の探索範囲を、前記操作態様検出部の検出結果に基づく範囲に設定する範囲設定部と、タッチパッド操作時、前記探索範囲に画面上の選択物が存在するか否かの範囲判定の結果を基に、別の選択物へ選択表示の切り替えを実行する表示切替部とを備えた。
【０００８】
本構成によれば、例えばユーザがタッチパッドをなぞり操作するなどして画面上の選択物を選択操作する場合に、ユーザの操作態様に応じた適切な探索範囲が設定される。このため、ユーザの操作意志に沿う選択物が選択され易くなる。よって、タッチパッド装置において、好適な操作性を確保することが可能となる。
【０００９】
前記タッチパッド装置において、前記操作態様検出部は、前記タッチパッドの操作速度及び操作方向を検出し、前記範囲設定部は、前記操作方向に沿うベクトルを中心とするとともに前記操作速度に応じた範囲の前記探索範囲を設定することが好ましい。この構成によれば、タッチパッドのなぞり操作時の操作方向及び操作速度に応じた適切な探索範囲を設定することが可能となる。よって、好適な操作性確保に一層有利となる。
【００１０】
前記タッチパッド装置において、前記表示切替部は、前記選択表示と、現在選択下にある画面上の選択座標をポインタによって示すポインタ表示とを選択的に使用して、前記画面の操作状態をユーザに通知することが好ましい。この構成によれば、選択表示又はポインタ表示を用いて、タッチパッドの現在の操作状態を適切にユーザに通知することが可能となる。
【００１１】
前記タッチパッド装置において、前記表示切替部は、画面に表示された隣同士の前記選択物の境界を選択座標が超えたか否かの越境判定も加えて、当該画面の表示切り替えを実行することが好ましい。この構成によれば、選択表示を切り替える際の精度を確保するのに有利となる。
【００１２】
前記タッチパッド装置において、前記表示切替部は、選択表示時、前記越境判定において画面上の選択座標が前記境界を越えたと判定された場合に、前記範囲判定では前記探索範囲に目標となる選択物がないと判定されると、画面表示を選択表示からポインタ表示に切り替えることが好ましい。この構成によれば、タッチパッドのなぞり操作時に次に選択表示で表示すべき選択物が存在しない場合には、選択表示の代わりに、現在の選択座標をポインタにより表示することが可能となる。よって、現在の選択座標が分からずに困惑してしまう状況を生じ難くすることが可能となる。
【００１３】
前記タッチパッド装置において、前記表示切替部は、ポインタ表示時、前記越境判定において画面上の選択座標が前記境界を越えたと判定された場合、その移動先に選択物が存在し、かつ当該選択物が探索範囲内に位置していれば、表示中のポインタを消し、前記探索範囲内に存在する前記選択物を選択表示することが好ましい。この構成によれば、タッチパッド操作時、なぞり操作先に選択物が存在する場合には、座標位置が境界を越えた時点でポインタが消え、移動先の選択物が選択表示されるように表示が切り替わる。このため、タッチパッドのなぞり操作時、目標とする選択物に表示が吸い込まれていくような表示態様とすることが可能となる。よって、ユーザにとって分かり易い表示切り替えとすることが可能となる。
【００１４】
前記問題点を解決するタッチパッド装置は、ディスプレイの画面を遠隔操作する際に用いるタッチパッドと、タッチパッド操作時、画面上において選択下にある選択物を示す選択表示を別の選択物に切り替えるか否かの判断基準となる座標上の探索範囲を設定する範囲設定部と、タッチパッド操作時、前記探索範囲に画面上の選択物が存在するか否かの範囲判定において、範囲内に選択物が存在しないと判定された場合、前記選択表示から、現在選択下にある画面上の選択座標をポインタによって示すポインタ表示に切り替える表示切替部とを備えた。
【００１５】
本構成によれば、例えばユーザがタッチパッドをなぞり操作するなどして画面上の選択物を選択操作する場合に、画面上で選択可能な選択物があれば、その選択物が選択表示される。一方、画面上で選択可能な選択物がなければ、現在の選択座標がポインタ表示される。このため、ユーザが意図しない選択物が選択表示されてしまう状況を生じ難くすることが可能となる。よって、タッチパッド装置において、好適な操作性を確保することが可能となる。
【００１６】
前記問題点を解決するディスプレイ表示制御プログラムは、ディスプレイとは別に設けられたタッチパッドの検出信号を基に、前記ディスプレイの画面を遠隔操作するタッチパッド装置に用いられるプログラムであって、当該タッチパッドの操作態様を検出するステップと、タッチパッド操作時、画面上において選択下にある選択物を示す選択表示を別の選択物に切り替えるか否かの判断基準となる座標上の探索範囲を、操作態様の検出結果に基づく範囲に設定するステップと、タッチパッド操作時、前記探索範囲に画面上の選択物が存在するか否かの範囲判定の結果を基に、別の選択物へ選択表示の切り替えを実行するステップとをコンピュータに実行させる。
【００１７】
前記問題点を解決するディスプレイ表示制御プログラムは、ディスプレイとは別に設けられたタッチパッドの検出信号を基に、前記ディスプレイの画面を遠隔操作するタッチパッド装置に用いられるプログラムであって、タッチパッド操作時、画面上において選択下にある選択物を示す選択表示を別の選択物に切り替えるか否かの判断基準となる座標上の探索範囲を設定するステップと、タッチパッド操作時、前記探索範囲に画面上の選択物が存在するか否かの範囲判定において、範囲内に選択物が存在しないと判定された場合、前記選択表示から、現在選択下にある画面上の選択座標をポインタによって示すポインタ表示に切り替えるステップとをコンピュータに実行させる。
【発明の効果】
【００１８】
本発明によれば、タッチパッド装置において、好適な操作性を確保することができる。
【図面の簡単な説明】
【００１９】
【図１】一実施形態のタッチパッド装置の構成図。
【図２】ディスプレイに表示される画面図。
【図３】越境判定の説明図。
【図４】選択ボタンが間引かれた画面図。
【図５】ディスプレイ表示制御のフローチャート。
【図６】タッチパッドの操作図。
【図７】（ａ），（ｂ）は、探索範囲の説明図。
【図８】（ａ），（ｂ）は、ポインタ表示の説明図。
【図９】（ａ），（ｂ）は、ポインタ表示から選択表示への切り替わりを示す説明図。
【発明を実施するための形態】
【００２０】
以下、タッチパッド装置及びディスプレイ表示制御プログラムの一実施形態を図１〜図９に従って説明する。
図１に示すように、タッチパッド装置１は、ディスプレイ２を遠隔操作する際にタッチ操作するタッチパッド３を備える。タッチパッド３は、車載用のタッチパッド装置１の場合、車内のセンターコンソール等に配置されている。タッチパッド３は、ユーザが指等で触れて操作するタッチ操作面４と、タッチ操作面４におけるタッチ操作を検出するセンサ部５とを備える。タッチパッド装置１は、タッチ操作面４におけるタッチ操作を静電容量の変化により検出する静電容量式であることが好ましい。この場合、センサ部５は、静電容量センサである。
【００２１】
タッチパッド装置１は、タッチパッド装置１の作動を制御する表示制御装置８を備える。表示制御装置８は、タッチパッド３によるディスプレイ２の遠隔操作の作動を制御するコントローラ９を備える。コントローラ９は、タッチパッド３から出力される検出信号Ｓ（検出静電容量Ｓａ）を、インターフェース部１０を介して入力し、タッチパッド３上の操作位置である操作座標Ｐ（ｘ，ｙ）を認識する。そして、コントローラ９は、タッチパッド３から入力した検出信号Ｓを基に、ディスプレイ２の画面１１上の選択決定操作を制御する。
【００２２】
図２に、ディスプレイ２に表示される画面１１の一例を図示する。図２は、タッチパッド３の操作によって選択可能な選択物１４（本例は選択ボタン１５）が画面１１のＸ軸方向及びＹ軸方向に均等に配列された例を挙げている。選択ボタン１５は、選択下にあるものが選択表示されている。本例の選択表示は、選択中の選択ボタン１５に選択マーク１６が付される選択態様をとる。選択マーク１６は、例えば選択ボタン１５の周囲を囲む枠体や、選択ボタン１５を点滅や変色等で強調表示するものなど、選択中ボタンをユーザに通知できるものであれば、態様は特に問わない。
【００２３】
ここで、タッチパッド３の「なぞり操作」により、選択マーク１６を選択ボタン１５の「１５Ａ」から「１５Ｂ」に切り替える例を述べる。この場合、タッチパッド３のタッチ操作面４を図中のように紙面右斜め上方向になぞり操作する。
【００２４】
このとき、図３に示すように、コントローラ９は、画面１１に表示された隣同士の選択ボタン１５の境界Ｌ（１５Ａ，１５ａの境界は「Ｌ１」と図示）を画面１１上の選択座標Ｓ（ｘ，ｙ）が超えたか否かを判定する「越境判定」により、選択表示（選択マーク１６の表示）の切り替えを実行する。具体的には、コントローラ９は、タッチパッド３の検出信号Ｓから認識した画面１１上の選択座標Ｓ（ｘ，ｙ）が、隣同士のボタン間に設定された境界Ｌを超えた場合に、その境界Ｌを境目とする座標エリアＥに、中心座標が含まれる選択ボタン１５があれば、その選択ボタン１５へ選択マーク１６の表示を切り替える。
【００２５】
本例の場合、画面１１上の選択座標Ｓ（ｘ，ｙ）が選択ボタン１５Ａ，１５ａの間の境界Ｌ１を超えたとき、移動先の座標エリアＥに選択ボタン１５ａ（選択ボタン１５ａの中心座標）が存在するので、選択ボタン１５ａに選択マーク１６の表示が切り替わる。そして、タッチパッド３が紙面斜め右上に沿ってなぞり操作された場合には、選択マーク１６の表示が「１５Ａ→１５ａ→１５ｂ→１５ｃ→１５Ｂ」へと移動する（図２参照）。
【００２６】
ところで、図４に示すように、文字入力が進んでいくに伴い、画面１１上に表示される選択ボタン１５が減少し、間引き表示される場合がある。このとき、選択ボタン１５を「１５Ａ→１５Ｂ」へなぞり操作する場合、「越境判定」のみの座標判定では、選択マーク１６の表示が「１５Ａ→１５ａ→１５ｂ→１５Ｂ」のように移動してしまう。よって、実際のなぞり操作に対し、選択マーク１６の表示切り替えの動きが大きく乖離してしまうので、操作に違和感が生じる可能性がある。本例は、この点に対する対処策である。
【００２７】
図１に戻り、タッチパッド装置１は、タッチパッド３の操作態様を検出する操作態様検出部１９を備える。操作態様検出部１９は、コントローラ９に設けられている。本例の操作態様検出部１９は、タッチパッド３の操作方向Ｓｂ及び操作速度Ｓｖを検出する。この場合、タッチパッド３の操作態様は、タッチパッド３をなぞり操作したときの操作速度及び操作方向となる。
【００２８】
タッチパッド装置１は、選択マーク１６の移動先を探索するのに用いる探索範囲Ｒをタッチパッド３の操作態様に応じた範囲に設定する範囲設定部２０を備える。範囲設定部２０は、コントローラ９に設けられている。探索範囲Ｒは、タッチパッド操作時（タッチパッド３のなぞり操作時）、画面１１上において選択下にある選択ボタン１５の選択表示（選択マーク１６の表示）を別の選択ボタン１５に切り替えるか否かの判断基準となる座標上の範囲である。範囲設定部２０は、操作態様検出部１９の検出結果（操作方向Ｓｂ及び操作速度Ｓｖ）を基に探索範囲Ｒを設定する。
【００２９】
タッチパッド装置１は、探索範囲Ｒの範囲内に画面１１上の選択ボタン１５が存在するか否かの範囲判定の結果を基に選択マーク１６の表示切り替えを実行する表示切替部２１を備える。表示切替部２１は、コントローラ９に設けられている。本例の表示切替部２１は、選択状態下の選択ボタン１５を選択マーク１６によって示す選択表示と、現在選択下にある画面１１上の選択座標Ｓ（ｘ，ｙ）をポインタ２３によって示すポインタ表示とを選択的に使用して、画面１１の操作状態をユーザに通知する。
【００３０】
次に、図５〜図９を用いて、本実施形態のタッチパッド装置１の作用及び効果について説明する。
図５に示すように、ステップ１０１において、コントローラ９は、センサ部５から検出信号Ｓを取得する。
【００３１】
ステップ１０２において、コントローラ９は、センサ部５から取得した検出信号Ｓを基に、タッチ操作面４における操作座標Ｐ（ｘ，ｙ）を検出する。すなわち、コントローラ９は、タッチ操作面４におけるユーザのタッチ操作の操作位置を検出する。
【００３２】
本例の場合、図６に示すように、コントローラ９は、センサ部５から入力した検出信号Ｓを基に、タッチ操作面４における指の投影形状２４を認識し、この投影形状２４から、タッチ操作面４における指の中心座標、すなわちタッチ操作面４における操作座標Ｐ（ｘ，ｙ）を算出する。なお、指の投影形状２４は、ユーザによるタッチ操作時の指先形状に相当する。そして、コントローラ９は、タッチ操作面４における操作座標Ｐ（ｘ，ｙ）と、画面１１上の座標位置である選択座標Ｓ（ｘ，ｙ）との対応付けをし、いまタッチ操作面４で画面１１のどの座標位置が選択されているのかを認識する。
【００３３】
ここで、図７（ａ），（ｂ）に示すように、選択ボタン１５が間引かれた画面１１において、タッチパッド３のなぞり操作によって、選択マーク１６を選択ボタン１５Ａから選択ボタン１５Ｂに切り替える操作例を挙げる。本例の場合、タッチ操作面４に指を置いたとき、選択座標Ｓ（ｘ，ｙ）が選択ボタン１５Ａに合って選択マーク１６が付され、その状態でタッチ操作面４において指を紙面右斜め上方向になぞり操作することで、選択マーク１６を選択ボタン１５Ｂに切り替えるとする。
【００３４】
図５に戻り、ステップ１０３において、コントローラ９は、検出した操作座標Ｐ（ｘ，ｙ）の変化を確認することにより、タッチパッド３における「なぞり操作」があったか否かを判定する。本例の場合、コントローラ９は、例えば検出した操作座標Ｐ（ｘ，ｙ）が、座標系のＸ軸方向又はＹ軸方向を問わず、単位時間当たりに連続的に変化することを検出した場合に、なぞり操作があったと判定する。ステップ１０３において、なぞり操作を検出すれば、ステップ１０４に移行し、なぞり操作を検出しなければ、ステップ１０１に戻る。
【００３５】
ステップ１０４において、範囲設定部２０は、なぞり操作時、逐次検出される操作座標Ｐ（ｘ，ｙ）を基に、なぞり操作の操作方向Ｓｂを算出する。操作方向Ｓｂは、例えばなぞり操作が直線方向と認識できている際の操作ベクトルを算出することにより求められる。
【００３６】
ステップ１０５において、範囲設定部２０は、なぞり操作時、逐次検出される操作座標Ｐ（ｘ，ｙ）を基に、なぞり操作の操作速度Ｓｖを算出する。操作速度Ｓｖは、例えば操作座標Ｐ（ｘ，ｙ）の時間変化を算出することにより求められる。
【００３７】
ステップ１０６において、範囲設定部２０は、タッチパッド３の操作に関して算出した操作方向Ｓｂ及び操作速度Ｓｖを基に、選択表示（選択マーク１６の表示）の切り替えの際の判断基準となる探索範囲Ｒを設定する。
【００３８】
図７（ａ），（ｂ）に、タッチパッド３の操作方向Ｓｂ及び操作速度Ｓｖをパラメータとして設定された探索範囲Ｒを図示する。探索範囲Ｒは、現在選択下にある選択ボタン１５の中心座標を頂点とした２つの半直線により囲まれる範囲からなる。本例の探索範囲Ｒは、操作方向Ｓｂ（ベクトル）を二等分線としつつ、頂点の角度θが操作速度Ｓｖに応じて設定されたものとなっている。また、本例の場合、操作速度Ｓｖが速くなるに連れて角度θが小さくなるように、また操作速度Ｓｖが遅くなるに連れて角度θが大きくなるように設定される。
【００３９】
ここで、図８（ａ）に示すように、なぞり速度が速い場合に、選択ボタン１５Ａ，１５ａの間に設定された境界Ｌ１を選択座標Ｓ（ｘ，ｙ）が超えて、越境判定が成立したとする。このとき、選択座標Ｓ（ｘ，ｙ）が境界Ｌ１を超えても、この場合は探索範囲Ｒが狭いので、探索範囲Ｒ内に選択ボタン１５ａの中心座標が入らない。これにより、選択マーク１６が選択ボタン１５ａに表示が移行しない。すなわち、選択マーク１６は表示が切り替えられない。
【００４０】
このとき、表示切替部２１は、現在の操作状態を画面１１上に示すために、選択マーク１６の表示を消し、現在選択下にある画面１１上の選択座標Ｓ（ｘ，ｙ）をポインタ表示する。すなわち、表示切替部２１は、なぞり操作時に選択ボタン１５Ａ，１５ａの境界Ｌ１を超えた時点で、画面表示を選択表示からポインタ表示に切り替える。
【００４１】
また、図８（ｂ）に示すように、例えば選択ボタン「１５Ａ→１５ｂ」へのなぞり操作を途中で止めてタッチ操作をオフした場合、表示切替部２１は、直前の操作速度Ｓｖに基づく探索範囲Ｒ内に選択ボタン１５が存在するか否か判定する。図８（ｂ）の例の場合、選択ボタン１５ｂの座標エリアＥ内にポインタ２３が入っているが、探索範囲Ｒ内には入っていないため、選択ボタン１５ｂに選択マーク１６を表示せず、ポインタ表示を維持する。また、選択ボタン１５ｃが探索範囲Ｒ内に入っているが、選択ボタン１５ａ，１５ｃの間に設定された座標エリアＥに選択座標Ｓ（ｘ，ｙ）が入っていないため、選択ボタン１５ｃにも選択マーク１６を表示せず、ポインタ表示を維持する。
【００４２】
ここで、図９（ａ）に示すように、なぞり操作が再度実行された場合、表示切替部２１は、選択ボタン１５Ｂとその隣接ボタンとの間に設定された境界Ｌ２を超えるまで、ポインタ表示を維持する。そして、図９（ｂ）に示すように、表示切替部２１は、選択ボタン１５Ｂとその隣接ボタンとの間に設定された境界Ｌ２を超えた場合、選択ボタン１５Ｂに選択マーク１６を表示する。すなわち、画面１１上の表示をポインタ表示から選択表示に切り替える。
【００４３】
図５に戻り、フローチャートの処理の続きを述べる。ステップ１０７において、表示切替部２１は、タッチ操作面４のなぞり操作中、越境判定が成立したか否かを判定する。すなわち、表示切替部２１は、タッチ操作面４のなぞり操作において、画面上の選択座標Ｓ（ｘ，ｙ）が境界Ｌを超えたか否かを判定する。そして、越境判定が不成立であれば、ステップ１０８に移行し、越境判定が成立すれば、ステップ１０９に移行する。
【００４４】
ステップ１０８において、表示切替部２１は、越境判定が不成立の場合、現在の表示を維持する。すなわち、なぞり操作が行われても越境判定が成立しない場合は、選択マーク１６が選択ボタン１５に付された状態、すなわち選択表示が維持される。
【００４５】
ステップ１０９において、表示切替部２１は、越境判定が成立した場合に、越境先の座標エリアＥにおいて探索範囲Ｒ内に選択ボタン１５があるか否かを判定する。この判定では例えば探索範囲Ｒ内に選択ボタン１５の中心座標が位置するか否かを確認する。そして、探索範囲Ｒ内に選択ボタン１５の中心座標が存在すれば、ステップ１１０に移行し、探索範囲Ｒ内に選択ボタン１５の中心座標が存在しなければ、ステップ１１１に移行する。
【００４６】
ステップ１１０において、表示切替部２１は、選択座標Ｓ（ｘ，ｙ）が境界Ｌを超えて隣の座標エリアＥに移動した場合、探索範囲Ｒ内に選択ボタン１５（選択ボタン１５の中心座標）が存在していなければ、画面表示を選択表示からポインタ表示に切り替える。すなわち、画面１１上に現在の操作位置としてポインタ２３を表示する。
【００４７】
ステップ１１１において、表示切替部２１は、選択座標Ｓ（ｘ，ｙ）が境界Ｌを超えて隣の座標エリアＥに移動した場合、探索範囲Ｒ内に選択ボタン１５（選択ボタン１５の中心座標）が存在していれば、その選択ボタン１５に選択マーク１６を表示する。すなわち、画面１１がポインタ表示とされている場合、選択表示を再実行する。
【００４８】
さて、本例の場合、例えばユーザがタッチパッド３をなぞり操作するなどして画面１１上の選択ボタン１５を選択操作する場合に、ユーザの操作態様（操作方向Ｓｂ、操作速度Ｓｖ）に応じた適切な探索範囲Ｒが設定される。このため、ユーザの操作意志に沿う選択ボタン１５が選択され易くなる。よって、タッチパッド装置１において、好適な操作性を確保することができる。
【００４９】
範囲設定部２０は、なぞり操作の操作方向Ｓｂに沿うベクトルを中心とするとともに操作速度Ｓｖに応じた範囲の探索範囲Ｒを設定する。よって、タッチパッド３のなぞり操作時の操作方向Ｓｂ及び操作速度Ｓｖに応じた適切な探索範囲Ｒを設定することが可能となる。よって、好適な操作性確保に一層有利となる。
【００５０】
表示切替部２１は、選択表示とポインタ表示とを選択的に使用して、画面１１の操作状態をユーザに通知する。よって、タッチパッド３の現在の操作状態を適切にユーザに通知することができる。
【００５１】
表示切替部２１は、探索範囲Ｒ内に選択ボタン１５が存在するか否かの範囲判定のみならず、画面１１に表示された隣同士の選択ボタン１５の境界Ｌを選択座標Ｓ（ｘ，ｙ）が超えたか否かの越境判定も加えて、画面１１の表示切り替えを実行する。よって、選択表示（選択マーク１６の表示）を切り替える際の精度を確保するのに有利となる。
【００５２】
表示切替部２１は、選択表示時、越境判定において画面１１上の選択座標Ｓ（ｘ，ｙ）が境界Ｌを超えたと判定された場合に、範囲判定では探索範囲Ｒに目標となる選択ボタン１５がないと判定されると、画面表示を選択表示からポインタ表示に切り替える。よって、タッチパッド３のなぞり操作時に次に選択表示すべき選択ボタン１５が存在しない場合には、選択表示の代わりに、現在の選択座標Ｓ（ｘ，ｙ）をポインタ２３により表示することが可能となる。よって、現在の選択座標Ｓ（ｘ，ｙ）が分からずに困惑してしまう状況を生じ難くすることができる。
【００５３】
表示切替部２１は、ポインタ表示時、越境判定において画面１１上の選択座標Ｓ（ｘ，ｙ）が境界Ｌを超えたと判定された（隣の座標エリアＥに切り替わった）場合、その移動先（座標エリアＥ）に選択ボタン１５が存在し、かつ選択ボタン１５が探索範囲Ｒ内に位置していれば、表示中のポインタ２３を消し、探索範囲Ｒ内に存在する選択ボタン１５を選択表示する。これにより、タッチパッド操作時、なぞり操作先に選択ボタン１５が存在する場合には、座標位置が境界Ｌを超えた時点でポインタ２３が消え、移動先の選択ボタン１５に選択マーク１６が表示されるように表示が切り替わる。このため、タッチパッド３のなぞり操作時、目標とする選択ボタン１５に選択マーク１６が吸い込まれていくような表示とすることが可能となる。よって、ユーザにとって分かり易い表示切り替えとすることができる。
【００５４】
なお、本実施形態は、以下のように変更して実施することができる。本実施形態及び以下の変更例は、技術的に矛盾しない範囲で互いに組み合わせて実施することができる。
・画面表示が選択表示からポインタ表示に切り替える場合に、選択座標Ｓ（ｘ，ｙ）がボタン間の境界Ｌを超えた時点で、表示を直ちにポインタ表示に切り替えることに限定されない。例えば、選択座標Ｓ（ｘ，ｙ）がボタン間の境界Ｌを超えても、タッチ操作面４がタッチ操作されている間は選択表示を維持し、タッチ操作面４が非タッチとなった時点で、ポインタ表示に切り替わるようにしてもよい。
【００５５】
・探索範囲Ｒの設定に用いるパラメータは、なぞり操作時の操作方向Ｓｂ及び操作速度Ｓｖに限定されず、例えばなぞりの操作加速度など、他のパラメータを用いてもよい。
・選択表示は、選択物１４に選択マーク１６を付す表示に限定されず、例えば選択物１４がポップアップ表示されるなど、いま選択下にあることが分かる態様であればよい。
【００５６】
・探索範囲Ｒは、選択ボタン１５の中心を頂点として２本の線を延ばした範囲に限定されず、例えば選択下の選択物１４の隣に設定された円形範囲など、他の態様に変更してもよい。
【００５７】
・選択物１４は、画面上で全て同じサイズの表示体に限定されず、サイズやデザイン等が異なるものとしてもよい。
・選択表示の切り替えのロジックから越境判定を省略してもよい。
【００５８】
・タッチパッド３（センサ部５）は、静電容量式に限らず、例えば感圧式などの他のセンシング方式のものに変更してもよい。
・本発明の技術思想は、なぞり操作の態様に応じて探索範囲Ｒが設定される機能を持たず、なぞり操作時、探索範囲Ｒ内に選択物１４が存在すれば選択表示を行い、探索範囲Ｒ内に選択物１４が存在しなければポインタ表示を行うこととしてもよい。この場合も、タッチパッド装置１において、好適な操作性を確保することができる。
【００５９】
・タッチパッド装置１は、車載用に限定されず、他の機器や装置に使用してもよい。
【符号の説明】
【００６０】
１…タッチパッド装置、２…ディスプレイ、３…タッチパッド、４…タッチ操作面、５…センサ部、１１…画面、１４…選択物、１５…選択ボタン、１９…操作態様検出部、２０…範囲設定部、２１…表示切替部、２３…ポインタ、Ｒ…探索範囲、Ｓ…検出信号、Ｓｂ…操作方向、Ｓｖ…操作速度、Ｓ（ｘ，ｙ）…選択座標、Ｌ…境界、Ｅ…座標エリア。
【図１】
2019152987.tif 000003
【図２】
2019152987.tif 000004
【図３】
2019152987.tif 000005
【図４】
2019152987.tif 000006
【図５】
2019152987.tif 000007
【図６】
2019152987.tif 000008
【図７】
2019152987.tif 000009
【図８】
2019152987.tif 000010
【図９】
2019152987.tif 000011